(57)【要約】【課題】原動機や駆動装置のオイルレベルゲージの先端を所定の位置に案内して保持し、正確な油量を測定することが可能なオイルレベルゲージの提供を目的とした。【解決手段】オイルレベルゲージを案内するガイドパイプの先端に、先絞り形状のガイド片を備え、上記ガイド部によりオイルレベルゲージの先端を所定の位置に案内して保持する。また、上記オイルレベルゲージの上記ガイド片に対向する面と、該ガイド片と、の間に空隙が形成される。【選択図】図２
2015161224.tif 000002
【特許請求の範囲】
【請求項１】
原動機や駆動装置の内部の油量を計測するオイルレベルゲージにおいて、
前記オイルレベルゲージを案内するガイドパイプの先端に、前記ガイドパイプの先端から、前記オイルレベルゲージの先端方向に先絞り形状のガイド片が配設され、
前記ガイド片は、長尺板状のオイルレベルゲージの幅方向の位置を規制する規制部と、前記オイルレベルゲージを前記ガイドパイプに挿入して固定するときに、該オイルレベルゲージの先端を前記規制部へ案内するガイド部と、を備え、
前記ガイド片は、少なくとも規制部において、前記オイルレベルゲージの該ガイド片に対向する面と、該ガイド片と、の間に空隙が形成される、
ことを特徴とするオイルレベルゲージ。
【発明の詳細な説明】
【技術分野】
【０００１】
本発明は、原動機や自動変速機のケーシング内の潤滑油の油量を測定する、オイルレベルゲージに関する。
【背景技術】
【０００２】
一般に、原動機（エンジン）や駆動装置のケーシング内の底部のオイル溜め部（以下、単に「オイル溜め部」とも称する）には、潤滑油が貯留される。潤滑油は、原動機や自動変速機を構成する動力伝達部品（例えばピストン、歯車、金属ベルト）や、摺動部（例えば滑り軸受け、ベアリング）等に供給され、部品間の潤滑をおこなう。
【０００３】
また、駆動装置、一例として自動変速機においては、潤滑油に油圧ポンプにより圧力が付与され、自動変速機を搭載する車両の、前進後退の切替や変速を行うための作動油としても使用される。
【０００４】
原動機や自動変速機のオイル溜め部に貯留される潤滑油が、必要量より過多の場合、潤滑油に浸っている部品の回転による撹拌抵抗が大となって、エネルギー損失が大きくなり、燃費が低下する要因となる。また、急減速時や急旋回時には、慣性や遠心力により潤滑油が車両前方や旋回外側方向に偏って、潤滑油の注入口等の大気解放部から漏れてしまう場合もある。
【０００５】
また、自動変速機の溜め部に貯留される潤滑油（作動油）が、必要量より過少の場合、油圧ポンプが空気を吸う「エア吸い」という現象が発生して、変速ショックが生じたり異音が発生してしまう。さらには、潤滑油が不足して潤滑不良となり、動力伝達部品や摺動部に摩耗や焼付きが生じて、自動変速機の耐久性を低下させる。
【０００６】
原動機や自動変速機のオイル溜め部に貯留される潤滑油（作動油）の量（以下、単に「油量」とも称する）が適正範囲にあるかを確認するため、原動機や自動変速機はオイルレベルゲージを具備する。
【０００７】
オイルレベルゲージは、概ねハンドル部、上蓋部、ゴムシール部、ゲージ部で構成される。ゲージ部には、自動変速機の外部から抜き差しするためのハンドル部が固定される。また、ゲージ部と、ハンドル部と、の間には上蓋部及びゴムシール部が配設され、異物が外部から原動機や自動変速機内に入ったり、潤滑油の飛沫等が原動機や自動変速機から漏出することを防止している。尚、上蓋部と、ゴムシール部と、は弾性材料、一例としてゴム材で、一体に成形されることもある。
【０００８】
原動機や自動変速機のケーシングに配設されてケーシングの外部から内部へ連通する穴と、上記ケーシングの穴に一端を挿入して略鉛直方向に固定されるガイドパイプにより、オイルレベルゲージは、原動機や自動変速機の外部上方からケーシング内の底部のオイル溜め部に案内される。また、ガイドパイプは、原動機や自動変速機の内部に潤滑油を注入する際の注ぎ口を兼ねる。
【０００９】
即ち、ガイドパイプの鉛直方向下端は、オイルレベルゲージを原動機や自動変速機のケーシング内へ案内する。また、ガイドパイプの鉛直方向上端は、オイルレベルゲージに配設されたゴムシール部が嵌入されて、異物の侵入や潤滑油の漏出を防止するとともに、オイルレベルゲージを脱落不能に保持する。
【００１０】
オイルレベルゲージの上蓋部下面からゲージ部先端までの長さ寸法は、原動機や自動変速機のケーシング内の底部に貯留される潤滑油に、ゲージ部の先端が浸るように設定される。また、ゲージ部の先端には、油量が適正量であるかを確認するための目印が配設される。
【００１１】
一例として、目印としてゲージ部の先端近傍に穴、又は切欠きを４個配設した場合、オイルレベルゲージを原動機や自動変速機に挿入した状態で、ゲージ部の先端（ガイドパイプに保持された状態で下方）に近い２個の穴は、潤滑油の温度が低い冷態時の潤滑油の適正な液面高さ（以下、単に「オイルレベル」とも称する）の下限と上限を示し、上記した２個の穴より上部にある別の２個の穴は、潤滑油の温度が高い温態時の潤滑油の適正な液面高さの下限と上限を示すように配設される。
【００１２】
冷態時用と温態時用とで、別々の油量下限と上限を示すのは、潤滑油の温度によって、潤滑油の体積が変化することに対応するためである。即ち、温態時は冷態時と比べて潤滑油の体積が増大するため、自動変速機の内部に貯留される潤滑油の量（重量）が同一であっても、作動油の体積の増大により作動油の液面が上昇する。
【００１３】
上記のように、冷態時用と温態時用それぞれの液面高さの下限と上限を示す目印を配設することにより、必要に応じて常時、オイルレベルを確認することが可能となる。
【００１４】
上述したように、一般にオイルレベルゲージは原動機や自動変速機のケーシングの外部から、底部のオイル溜め部へ向けて挿入されるが、原動機や自動変速機には多くの可動部品が内蔵され、車両の走行中は可動部品が高速度で運動する。
【００１５】
オイルレベルゲージは長尺板状であるため、車両の走行や原動機や自動変速機等の運転による振動を受けると、オイルレベルゲージの先端は揺動する。オイルレベルゲージの先端が揺動して、原動機や自動変速機に内蔵される可動部品と接触すると、異音が発生したり、オイルレベルゲージや、相手部品が損傷してしまう。
【００１６】
例えば特許文献１は、オイルレベルゲージの先端の揺動を抑制する手段として、屈曲部を有するガイドパイプに対して、屈曲部で長尺板状のオイルレベルゲージが追従しやすいように、オイルレベルゲージに捩じり部が形成され、さらにオイル溜め部にオイルレベルゲージの揺動を抑制するためのゲージホルダ１５が配設されている。
【００１７】
しかしながら、ガイドパイプの先端（鉛直方向下端）からゲージホルダ１５（特許文献１の図４参照）までに距離があり、オイルレベルゲージの材料となる金属、一例としてバネ材の撓み量のばらつきを考慮して、ゲージホルダ１５にオイルレベルゲージを保持させようとすると、ゲージホルダ１５の保持部を大きくする必要がある。このため、車両の走行中等にオイルレベルゲージの揺動を十分に抑制できないという問題が残る。
【００１８】
また、油量を確認するためオイルレベルゲージを引き抜く際に、ゲージホルダ１５（特許文献１の図２参照）のゲージ挿入孔１６の縁部で、オイルレベルゲージに付着させた潤滑油がそぎ落とされてしまい、油量を正確に読み取ることが困難となる。
【先行技術文献】
【特許文献】
【００１９】
【特許文献１】特開２００１−９０５２０号公報
【発明の概要】
【発明が解決しようとする課題】
【００２０】
以上の事情に鑑みて本発明は創作されたものであり、本発明は、原動機や駆動装置のオイルレベルゲージの先端を所定の位置に案内して保持し、正確な油量を測定することが可能なオイルレベルゲージの提供を目的とする。
【課題を解決するための手段】
【００２１】
上述した課題を解決すべく提供される本発明のオイルレベルゲージは、
前記オイルレベルゲージを案内するガイドパイプの先端に、前記ガイドパイプの先端から、前記オイルレベルゲージの先端方向に先絞り形状のガイド片が配設され、
前記ガイド片は、長尺板状のオイルレベルゲージの幅方向の位置を規制する規制部と、前記オイルレベルゲージを前記ガイドパイプに挿入して固定するときに、該オイルレベルゲージの先端を前記規制部へ案内するガイド部と、を備え、
前記ガイド片は、少なくとも規制部において、前記オイルレベルゲージの該ガイド片に対向する面と、該ガイド片と、の間に空隙が形成される。
【発明の効果】
【００２２】
本発明によれば、上記ガイド部により上記オイルレベルゲージの先端が所定の位置に確実に案内され、上記規制部で位置決めされるため、オイルレベルゲージの先端の揺動を防止できる。
【００２３】
また、上記オイルレベルゲージの上記ガイド片に対向する面と、上記ガイド片と、の間に空隙が形成されることにより、上記オイルレベルゲージに多くの潤滑油を付着させることができる。
【００２４】
上記によって、上記オイルレベルゲージを引き抜く際に、オイルレベルゲージに付着させた上記潤滑油が上記ガイドパイプの内面等でそぎ落とされた場合も、オイルレベルを確認するのに十分な量の潤滑油をオイルレベルゲージに残存させることができ、油量を正確に読み取ることが可能となる。
【図面の簡単な説明】
【００２５】
【図１】自動変速機の概観と、オイルレベルゲージ及び従来のガイドパイプの装着状態を示す略図である。
【図２】本発明のオイルレベルゲージの一実施形態に係る、ガイドパイプを示す略図である。
【図３】本発明のオイルレベルゲージの一実施形態に係る、ガイドパイプを別方向から見た略図である。
【図４】オイルレベルゲージの外観を示す略図である。
【図５】本発明のオイルレベルゲージの一実施形態に係るガイド片を、図３に示す矢印Ａ方向から見た略図である。
【図６】本発明のオイルレベルゲージの別の実施形態に係る、ガイド片を示す略図である。
【発明を実施するための形態】
【００２６】
以下、本発明の一実施形態に係るオイルレベルゲージ１０について、自動変速機を例にして図面を参照しつつ詳細に説明する。オイルレベルゲージ２０の外観を示す略図である図４に示すように、オイルレベルゲージ２０は概ね、ハンドル部２０ａ、上蓋部２０ｂ、シール部２０ｃ、ゲージ部２０ｄで構成される。
尚、図１〜６において、下２桁が同一な番号は、同種の部品を示している。
【００２７】
自動変速機５０の概観と、オイルレベルゲージ２０及び従来タイプのガイドパイプ１１５の装着状態を示す略図である図１に示すように、上記ガイドパイプ１１５は、上記自動変速機５０のケーシング６の外部から内部へ連通する穴８に一端を挿入されて、ブラケット２を介して締結金具１（一例としてボルト）によりケーシング６に固定される。
【００２８】
上記オイルレベルゲージ２０は、自動変速機の上方から上記ガイドパイプ１１５のパイプ部１１５ａに挿入され、図示しない上記オイルレベルゲージ２０のシール部（図４に２０ｃとして示す）が、上記パイプ部１１５ａに嵌入して固定される。
【００２９】
上記ゲージ部２０ｄの長さ寸法は、上記オイルレベルゲージ２０を上記ガイドパイプ１１５に嵌入した状態で、上記ゲージ部２０ｄの先端が、オイル溜め部３に貯留される潤滑油５の液面９の適正位置よりも下に位置するように設定される。例えば、図１に示す潤滑油５の液面９は、上述したように、潤滑油５の温度が低い冷態時の潤滑油の液面９の高さが、概ね中央値近傍にあることを示している。
【００３０】
図２に、本発明のオイルレベルゲージの一実施形態に係る、ガイドパイプ１５と、上記オイルレベルゲージ２０のゲージ部２０ｄの略図を示す。上記オイルレベルゲージ２０を案内する上記ガイドパイプ１５は、パイプ部１５ａと、ガイド片１５ｂと、により構成される。詳述すると、上記ガイドパイプ１５を構成する上記パイプ部１５ａの先端（鉛直方向下方）から、図示しないオイルレベルゲージ２０のゲージ部（図１に２０ｄとして示す）の先端方向に先絞り形状のガイド片１５ｂが配設される。
【００３１】
図３に、本発明のオイルレベルゲージの一実施形態に係る、ガイドパイプ１５を別方向から見た略図を示す。上記ガイド片１５ｂは、図示しない長尺板状のオイルレベルゲージのゲージ部（図１に２０ｄとして示す）の幅方向の位置を規制する規制部Ｋと、上記オイルレベルゲージ２０を上記ガイドパイプ１５に挿入して固定するときに、図示しない上記オイルレベルゲージのゲージ部（図１に２０ｄとして示す）の先端を、前記規制部へ案内するガイド部Ｇと、で構成される。
【００３２】
上記の構成とすることにより、図３において上記ガイドパイプ１５のパイプ部１５ａに挿入された図示しない上記オイルレベルゲージのゲージ部（図１に２０ｄとして示す）の先端は、上記パイプ部１５ａを通過し、上記パイプ部１５ａの出口に配設された上記ガイド片１５ｂが備える上記ガイド部Ｇにより、上記規制部Ｋへ案内され、保持される。
【００３３】
図５に、本発明のオイルレベルゲージの一実施形態に係る、ガイド片１５ｂを図３に示す矢印Ａ方向から見た略図を示す。上記で上記規制部Ｋに保持された上記オイルレベルゲージのゲージ部２０ｄの先端の位置は、幅方向には上記規制部Ｋにより規制される。
【００３４】
また、図２に示すように、図示しない上記オイルレベルゲージのゲージ部２０ｄは、上記ガイド片１５ｂにより曲げられる。上記ゲージ部２０ｄは、弾性の高い材料、一例としてバネ材を平板状にしたもので形成されている。このため、上述したように上記ガイド片１５ｂにより曲げられると、平板状態に復元しようとする。その結果、上記ゲージ部２０ｄはバネ材の復元力により、上記ガイド片１５ｂの方向に押付けられる。
【００３５】
上記のバネ材の復元力によって、上記ゲージ部２０ｄが上記ガイド片１５ｂの方向に押付けられることで、ゲージ部２０ｄ先端の位置は、幅広の表面方向にも上記規制部Ｋにより規制される。
【００３６】
上述したように、上記オイルレベルゲージのゲージ部２０ｄの先端は、上記ガイド片１５ｂに確実に保持されて、揺動することがない。したがって、自動変速機５０に内蔵される可動部品と接触して異音が発生したり、上記オイルレベルゲージ２０や、図示しない相手部品が損傷することを防止し得る。上記の効果は、図示しない原動機においても、同様に得ることが可能である。
【００３７】
図５に示すように、上記ガイド片１５ｂは、少なくとも規制部Ｋにおいて、上記オイルレベルゲージ２０のゲージ部２０ｄの、上記ガイド片１５ｂに対向する面（図５ではゲージ部２０ｄの下方向の面）と、上記ガイド片１５ｂと、の間に空隙Ｈが形成される。
【００３８】
原動機や駆動装置のオイルレベルを、上記オイルレベルゲージ２０を用いて確認する場合、まず、図１の上記オイルレベルゲージ２０を引き抜いて、上記ゲージ部２０ｄに付着している潤滑油５を拭き取る。次に、上記ガイドパイプ１１５からケーシング６内部へ上記オイルレベルゲージ２０を挿入する。このとき、上記オイルレベルゲージ２０の上蓋部２０ｂの下面と、上記ガイドパイプ１１５の上端が接するまで確実に挿入する。
【００３９】
上記により、オイル溜め部３に貯留された潤滑油５が、上記ゲージ部２０ｄの先端に、潤滑油５の液面９の高さまで付着する。次に、上記オイルレベルゲージ２０を再度引き抜いて、上記ゲージ部２０ｄの先端に付着させた潤滑油５の位置と、上記ゲージ部２０ｄの先端に配設された図示しないオイルレベルの目印と、を比較することで、オイルレベルを確認することができる。
【００４０】
しかしながら、上記オイルレベルゲージ２０を再度引き抜く際、図２に示すように、上記ゲージ部２０ｄの先端は上記ガイド部１５ｂのガイド部Ｇや、ガイドパイプ１５のパイプ部１５ａ内面に接触する。これにより、上記ゲージ部２０ｄの先端に付着させた潤滑油５が削ぎ落とされ、オイルレベルを正確に確認することが困難な場合がある。
【００４１】
図５において、上記ガイド片１５ｂは、少なくとも規制部Ｋにおいて、上記オイルレベルゲージ２０のゲージ部２０ｄの、上記ガイド片１５ｂに対向する面（図５ではゲージ部２０ｄの下方向の面）と、上記ガイド片１５ｂと、の間に空隙Ｈが形成される。
【００４２】
上記空隙Ｈは、上記ガイドパイプ１５のパイプ部１５ａ内面と、上記オイルレベルゲージ２０のゲージ部２０ｄと、が接触したときに間に形成される空隙よりも大きくなるように設定される。
【００４３】
上記のように、上記ガイド片１５ｂにより上記空隙Ｈが形成されることにより、上記空隙Ｈが存在しない場合と比べて、多量の上記潤滑油５を上記ゲージ部２０ｄの先端に付着させた状態で、上記オイルレベルゲージ２０を再度引き抜き始めることが可能となる。
【００４４】
上述したように、図２において上記オイルレベルゲージ２０を再度引き抜く際、上記ゲージ部２０ｄの先端は上記ガイド部Ｇや、ガイドパイプ１５のパイプ部１５ａ内面と接触し、上記ゲージ部２０ｄの先端に付着させた潤滑油５が削ぎ落とされる。
【００４５】
しかし、上記のように、上記空隙Ｈが形成されることにより多量の上記潤滑油５を上記ゲージ部２０ｄの先端に付着させた状態で、上記オイルレベルゲージ２０を再度引き抜き始めることが可能となる。
【００４６】
したがって、上記オイルレベルゲージ２０を引き抜き終えた時点で、上記ゲージ部２０ｄの先端に付着させた潤滑油５を、オイルレベルを確認するのに十分な量、残存させることができる。
【００４７】
上述したように、図５に示すごとく、上記オイルレベルゲージ２０のゲージ部２０ｄの、上記ガイド片１５ｂに対向する面と、上記ガイド片１５ｂと、の間に空隙Ｈが形成されるよう、上記規制部Ｋを形成することにより、オイルレベルを正確に確認することを達成し得る。
【００４８】
尚、上記規制部Ｋの形状は、上記オイルレベルゲージ２０のゲージ部２０ｄを幅方向に移動しないよう保持し、上記ガイド片１５ｂと、上記ゲージ部２０ｄと、の間に空隙を設けることが可能であればよく、図６（ａ）に示すような形状でも良い。
【００４９】
また、図６（ｂ）〜（ｃ）に示すように、上記規制部Ｋの先端に、上記オイルレベルゲージ２０のゲージ部２０ｄの幅寸法よりも幅の狭い切込み１１や、切欠き１２を配設しても良い。
【００５０】
上記の狭い切込み１１や、切欠き１２を配設することによって、部品の製造寸法のばらつき等により上記空隙Ｈが狭くなった場合も、上記規制部Ｋにおいて、上記ゲージ部２０ｄの先端に付着させた潤滑油５が削ぎ落とされることを、より確実に防止することが可能となる。
【００５１】
尚、上記ガイドパイプ１５のパイプ部１５ａと、ガイド片１５ｂと、は一体に成形されても良い。一例として、上記パイプ部１５ａの先端を略斜めにカットし、上記パイプ部１５ａの先端の斜めになった部分を加工して、上記規制部Ｋと、上記ガイド部Ｇと、が上記パイプ部１５ａの先端に一体に成形される。
【００５２】
上記のように、ガイドパイプ１５のパイプ部１５ａと、ガイド片１５ｂと、を一体で成形すれば、コスト面で有利である。
【００５３】
以上、本発明のオイルレベルゲージについての実施形態およびその概念について説明してきたが本発明はこれに限定されるものではなく特許請求の範囲および明細書等に記載の精神や教示を逸脱しない範囲で他の変形例、改良例が得られることが当業者は理解できるであろう。
【符号の説明】
【００５４】
１  締結金具
２  ブラケット
３  オイル溜め部
５  潤滑油
６  ケーシング
８  ケーシングの穴
９  潤滑油の液面
１０  オイルレベルゲージ
１１  （規制部の）切込み
１２  （規制部の）切欠き
１５、１１５  ガイドパイプ
１５ａ  パイプ部
１５ｂ  ガイド片
２０  オイルレベルゲージ
２０ａ  ハンドル部
２０ｂ  上蓋部
２０ｃ  シール部
２０ｄ  ゲージ部
５０  自動変速機
Ｋ  規制部
Ｇ  ガイド部
Ｈ  （ゲージ部とガイド片との間の）空隙
【図１】
2015161224.tif 000003
【図２】
2015161224.tif 000004
【図３】
2015161224.tif 000005
【図４】
2015161224.tif 000006
【図５】
2015161224.tif 000007
【図６】
2015161224.tif 000008